(57)【要約】【課題】栓刃挿通用孔の内側とシャッターに形成した傾斜面との間に隙間が形成されることと成り、その隙間から埃、塵等が侵入する要因と成っていた。【解決手段】本発明は、栓刃が差し込まれる刃受を立設させた刃受金具を内設した下方ボディ１と、下方ボディに上方ボディ２を合着させたタップにおいて、上方ボディに形成した刃受カバー用穴２ａと、刃受カバー用穴に天板部の表面を略面一として上方ボディに内装される刃受カバー３と、刃受カバーの天板部に形成した栓刃挿通用孔３ｂと、栓刃挿通用孔の下方を遮蔽させて配設させたバネシャッター４と、バネシャッターを保持する保持手段５とを備えたものであり、更に、バネシャッターは少なくとも二枚を積層させると共に、下層に位置させるバネシャッターは上層に位置させるバネシャッターよりタップの巾方向の長さを短くさせた。【選択図】図１
2004146349.tif 000002
【特許請求の範囲】
【請求項１】
差し込みプラグに突設された板状の一対の栓刃が差し込まれる少なくとも一対の刃受を立設させた刃受金具を内設した下方ボディと、該下方ボディに上方ボディを合着させたタップにおいて、前記上方ボディの前記差し込みプラグが差し込まれる位置に形成した刃受カバー用穴と、該刃受カバー用穴に天板部の表面を略面一として上方ボディの下方に内装される刃受カバーと、該刃受カバーの天板部に形成した前記一対の栓刃を挿通させる一対の栓刃挿通用孔と、該一対の栓刃挿通用孔の下方を遮蔽させて配設される可撓性と復元性とを有したバネシャッターと、該バネシャッターを保持する保持手段とを備えたことを特徴とする防塵機能付きタップ。
【請求項２】
前記バネシャッターは少なくとも二枚を積層させると共に、下層に位置させるバネシャッターは上層に位置させるバネシャッターよりタップの巾方向の長さを短くさせたことを特徴とする請求項１に記載の防塵機能付きタップ。
【発明の詳細な説明】
【０００１】
【発明の属する技術分野】
本発明は防塵機能を備えたテーブルタップ等のタップに関するものであり、更に詳細には、差し込みプラグに突設された一対の栓刃が差し込まれる時には開口して差し込みを可能として、差し込みプラグを引き抜くと開口が完全に密閉状態で遮蔽される防塵機能付きタップに関するものである。
【０００２】
【従来の技術】
従来、この種の防塵機能付きタップは各種開発されて市販されているが、その何れもが差し込みプラグに突設された栓刃の先端で栓刃挿通用孔の内側に遮蔽するように配設されたシャッターの一辺を押して移動させ、シャッターを移動させることで遮蔽状態が開口され栓刃を挿通させる構造と成っているために、栓刃挿通用孔を内側から遮蔽するシャッターの栓刃挿通用孔の直下の一辺に傾斜面を形成して、シャッターが容易に移動するようにしていた。
【０００３】
【発明が解決しようとする課題】
その為、栓刃挿通用孔の内側とシャッターに形成した傾斜面との間に隙間が形成されることと成り、その隙間から埃、塵等が侵入する要因と成っていた。
【０００４】
【課題を解決するための手段】
本発明は前記課題に鑑み、鋭意研鑽の結果、差し込みプラグに突設された栓刃が差し込まれる刃受を立設させた刃受金具を内設した下方ボディと、下方ボディに上方ボディを合着させたタップにおいて、上方ボディに形成した刃受カバー用穴と、刃受カバー用穴に天板部の表面を略面一として上方ボディに内装される刃受カバーと、刃受カバーの天板部に形成した栓刃挿通用孔と、栓刃挿通用孔の下方を遮蔽させて配設させたバネシャッターと、バネシャッターを保持する保持手段とを備えたものであり、更に、バネシャッターは少なくとも二枚を積層させると共に、下層に位置させるバネシャッターは上層に位置させるバネシャッターよりタップの巾方向の長さを短くさせたものである。
【０００５】
【作用】
本発明の防塵機能付きタップは、上方ボディに一対の栓刃を挿通させる一対の栓刃挿通用孔を形成した天板部を備えて内装される刃受カバーと、一対の栓刃挿通用孔の下方を遮蔽させて配設させるバネシャッターと、バネシャッターを下方から保持する保持手段とを備えたことにより、バネシャッターの材料特性である可撓性と復元性とのために、栓刃を栓刃挿通用孔に挿通すると、栓刃の先端はバネシャッターの上面に当接し、更に、栓刃を押圧することによってバネシャッターの両端辺を下方に湾曲させて栓刃を刃受に挿通させるものであり、栓刃を引き抜くとバネシャッターが復元性により元の平板状に戻り遮蔽状態に成り防塵機能を有するものであり、更に、バネシャッターは少なくとも二枚を積層させると共に、下層に位置するバネシャッターは上層に位置するバネシャッターよりタップの巾方向の長さを短くさせたことにより、より確実に開閉するものである。
【０００６】
従って、本発明の目的は、簡易な構造で、タップの不使用時における栓刃挿通用孔を完全に密閉状態で遮蔽し、使用するとき栓刃を挿通するだけで使用できる防塵機能付きタップを提供するものである。
【０００７】
【発明の実施の形態】
本発明の防塵機能付きタップの実施の形態の添付図面によって詳細に説明する。
【０００８】
図１は本発明の防塵機能付きタップの実施の形態の組み立てた状態を示す要部の断面説明図であり、図２は本発明の防塵機能付きタップの実施の形態の要部を断面とした分解説明図であり、図３は本発明の防塵機能付きタップの次実施の形態の組み立てた状態を示す要部の断面説明図であり、図４は本発明の防塵機能付きタップの次実施の形態の内部を説明をする平面説明図であり、図５は本発明の防塵機能付きタップの次実施の形態の要部を断面とした分解説明図である。
【０００９】
本発明は防塵機能を備えたテーブルタップ等のタップに関するものであり、更に詳細には、差し込みプラグに突設された一対の栓刃が差し込まれる時には開口して差し込みを可能として、差し込みプラグを引き抜くと開口が完全に密閉状態で遮蔽される防塵機能付きタップに関するものであり、差し込みプラグ（図示しない）に突設された板状の一対の栓刃Ａが差し込まれる少なくとも一対の刃受Ｂを立設させた刃受金具を内設した下方ボディ１と、該下方ボディ１に上方ボディ２を合着させたタップにおいて、前記上方ボディ２の前記差し込みプラグが差し込まれる位置に形成した刃受カバー用穴２ａと、該刃受カバー用穴２ａに天板部３ａの表面を略面一として上方ボディ２の下方に内装される刃受カバー３と、該刃受カバー３の天板部３ａに形成した前記一対の栓刃Ａを挿通させる一対の栓刃挿通用孔３ｂと、該一対の栓刃挿通用孔３ｂの下方を遮蔽させて配設される可撓性と復元性とを有したバネシャッター４と、該バネシャッター４を保持する保持手段５とを備えたものである。
【００１０】
更に、請求項２に記載の防塵機能付きタップは、請求項１に記載の防塵機能付きタップにおいて、前記バネシャッター４は少なくとも二枚を積層させると共に、下層に位置させるバネシャッター４ｂ．４ｃは上層に位置させるバネシャッター４ａよりタップの巾方向の長さを短くさせたものである。
【００１１】
即ち、本発明の防塵機能付きタップは主として一般家庭、オフィス等で商業電源から各電気機器に電力を提供するのに後付けで配線されるテーブルタップ等のタップ類に適応されるもので、テーブルタップ等は一対の刃受Ｂが複数組連設された刃受金具が内設されており、夫々の各電気機器から延設されたコードの先端に設けられた差し込みプラグに突設された通電性の金属で形成された板状の一対の栓刃Ａを挿通させることで電気的に接続するものである。
【００１２】
そして、下方ボディ１は底面１ａと、該底面１ａの外周縁から下方ボディ外周壁１ｂが延設され上方が開口されたもので、後述する上方ボディ２と合着させることで箱状と成り、底面１ａには電気的に電源と接続される通電性の金属で形成された周知の刃受金具が内設されており、該刃受金具には複数組の刃受Ｂを立設させて、夫々の一対の刃受Ｂに差し込みプラグに突設された板状の一対の栓刃Ａが差し込むことによって通電状態とするものである。
【００１３】
更に、下方ボディ１の底面１ａの一対の刃受Ｂの間には刃受金具を位置決めすると共に後述するバネシャッター４を保持するための保持手段５と成る保持手段突起５ａと、後述する刃受カバー３の下端を当接させる刃受カバー用リブ１ｃ等を立設させているものである。
【００１４】
次に、上方ボディ２は上面２ｂと、該上面２ｂの外周縁から上方ボディ外周壁２ｃが延設され下方が開口されたもので、上面２ｂの差し込みプラグが差し込まれる位置には実施の形態では長円形状の刃受カバー用穴２ａを貫設しており、該刃受カバー用穴２ａは後述する刃受カバー３の天板部３ａを挿入することで表面が略面一と成るものであり、上方ボディ２は上方ボディ外周壁２ｃの下面と前記下方ボディ１の下方ボディ外周壁１ｂの上面とを合着させることで箱状のボディと成るものである。
【００１５】
次いで、刃受カバー３は図１乃至図４に図示する如く、上面に前記上方ボディ２に貫設した長穴状の刃受カバー用穴２ａに下方から内装した状態で夫々の表面が略面一と成る長円状の天板部３ａを備え、該天板部３ａには一対の栓刃Ａを挿通させる矩形状の一対の栓刃挿通用孔３ｂを形成し、前記天板部３ａの周縁から延設された刃受カバー外周壁３ｃを設けて下方を開口させたもので、該天板部３ａの下面の略中心には後述するバネシャッター４を保持する保持手段５である位置決め用突起５ｂを突設すると共に、刃受カバー３の刃受カバー外周壁３ｃの下端は下方ボディ１に立設させた刃受カバー用リブ１ｃに当接させるものである。
【００１６】
更に、バネシャッター４は少なくとも両側を平板状に形成した可撓性と復元性を有した合成樹脂又は合成ゴム等から成り、周知のように合成樹脂又は合成ゴム等は材料特性として可撓性と復元性とを有した適宜な厚みのもので、実施の形態では刃受カバー３の下面に突出させた保持手段５の位置決め用突起５ｂを嵌入させるように中央辺に凹陥部４ａを形成しているものである。
【００１７】
そして、保持手段５は各種考慮でき特に限定するものではないが、実施の形態では下方ボディ１の底面１ａに立設させた保持手段突起５ａと、刃受カバー３の下面に突設した位置決め用突起５ｂとであり、バネシャッター４に形成した凹陥部４ａに位置決め用突起５ｂを嵌入して、下方から保持手段突起５ａの先端をバネシャッター４の底面に当接することで保持させるものである。
【００１８】
更には、本考案の防塵機能付きタップの次実施の形態では、バネシャッター４を少なくとも二枚を積層させているもので、図５に図示するものは三層のバネシャッター４（４ａ．４ｂ．４ｃ）としているものであり、バネシャッター４（４ａ．４ｂ．４ｃ）に貫通孔（図示しない）を設けて、刃受カバー３の下面に突設した位置決め用突起５ｂを挿通させることで位置決めするものである。
【００１９】
更に、この場合の保持手段５は、下方ボディ１の底面１ａに立設させた保持手段突起５ａと刃受カバー３の下面に突設した位置決め用突起５ｂとの間に保持用部材５ｃを介装するものであり、保持用部材５ｃの下方に保持用部材下穴５ｄを形成し保持手段突起５ａの上端辺を挿通させ、保持用部材５ｃの上方に保持用部材上穴５ｅを形成し位置決め用突起５ｂの下端辺を挿通させるものである。
【００２０】
更には、次実施の形態のバネシャッター４は複数枚を積層させるものであり、上層に位置するバネシャッター４ａは刃受カバー３の天板部３ａに形成した一対の栓刃挿通用孔３ｂの下方を遮蔽するものであり、図５に図示する実施の形態では三層のバネシャッター４（４ａ．４ｂ．４ｃ）を積層しており、中層に位置するバネシャッター４ｂは上層に位置するバネシャッター４ａよりタップの巾方向の長さを短くしており、更に、下層に位置するバネシャッター４ｃは中層に位置するバネシャッター４ｂより更にタップの巾方向の長さを短くしているもので、良好な可撓性と復元性とを付与するものであり、この場合のバネシャッター４は板状のもので構わないものである。
【００２１】
そして、本発明の防塵機能付きタップの実施の形態を組み立てるのは、先ず、バネシャッター４の凹陥部４ａに刃受カバー３の下面に突設した位置決め用突起５ｂを嵌入させ、その状態で刃受カバー３の天板部３ａが上方ボディ２の上面２ｂと表面が略面一に成るように下方から刃受カバー用穴２ａに挿入させると共に、刃受金具を下方ボディ１に組み込み、下方ボディ１を合着させることで、下方ボディ１の底面に突設した保持手段突起５ａの先端がバネシャッター４の底面に位置してバネシャッター４は位置決めされて確りと保持されるものである。
【００２２】
次いで、本発明の次実施の形態を組み立てるのは、複数枚のバネシャッター４（４ａ．４ｂ．４ｃ）を積層させて貫通孔を合わせて、該貫通孔に刃受カバー３の下面に突設した位置決め用突起５ｂを貫通させ、その状態で刃受カバー３の天板部３ａが上方ボディ２の上面２ｂと表面が略面一に成るように下方から刃受カバー用穴２ａに挿入させると共に、刃受金具を下方ボディ１に組み込み、下方ボディ１の底面に突設した保持手段突起５ａの上端辺に保持用部材５ｃの保持用部材下穴５ｄを挿通させて上方ボディ２と合着させるもので、保持用部材５ｃの保持用部材上穴５ｅに刃受カバー３の位置決め用突起５ｂが嵌入してバネシャッター４は位置決めされて確りと保持され、ビス（図示しない）等によって固定することで組み立てられるものである。
【００２３】
そして、本発明の防塵機能付きタップの刃受金具の刃受Ｂの真上に形成された刃受カバー３の栓刃挿通用孔３ｂに差し込みプラグの栓刃Ａを挿通させて、栓刃Ａの先端辺を刃受金具の刃受Ｂに挿通させ挟持させるものであるが、栓刃挿通用孔３ｂの下方はバネシャッター４で遮蔽されており、栓刃Ａを更に挿通させると、図１及び図３の左側に図示する如く、栓刃Ａの先端でバネシャッター４を弾性に抗して湾曲させ挿通されるものである。
【００２４】
次いで、栓刃Ａを引き抜くとバネシャッター４は材料特性の可撓性と復元性により図１及び図３の右側に図示する如く、元の状態となり遮蔽されるものであり、栓刃挿通用孔３ｂの下方はバネシャッター４の上面でぴったりと塞がれることから埃、塵等の侵入を防止するものである。
【００２５】
尚、下方ボディ１、上方ボディ２、刃受カバー３、バネシャッター４、保持手段５等の構造及び組み込み手段等は種々考慮されるものであるが、本発明の技術範囲を逸脱しない範囲での設計変更は可能なものである。
【００２６】
【発明の効果】
本発明の防塵機能付きタップは、上方ボディに内装される刃受カバーと、その刃受カバーに内装されるバネシャッターと、バネシャッターを保持する保持手段とを備え、刃受カバーに形成した栓刃挿通用孔に差し込みプラグに突設された栓刃を挿通させると、バネシャッターの上面と当接し、更に、差し込むことによって栓刃の押圧力によりバネシャッターは材料特性の可撓性の弾性に抗して湾曲し栓刃の挿通を可能とし、栓刃を引き抜くことにより可撓性と復元性により元の状態に戻り、遮蔽中は栓刃挿通用孔の下端の近傍にも隙間を有することなく遮蔽されることから埃、塵等の侵入は皆無と成るものであり、画期的で実用性の高い発明である。
【図面の簡単な説明】
【図１】図１は本発明の防塵機能付きタップの実施の形態の組み立てた状態を示す要部の断面説明図である。
【図２】図２は本発明の防塵機能付きタップの実施の形態の要部を断面とした分解説明図である。
【図３】図３は本発明の防塵機能付きタップの次実施の形態の組み立てた状態を示す要部の断面説明図である。
【図４】図４は本発明の防塵機能付きタップの次実施の形態の内部を説明をする平面説明図である。
【図５】図５は本発明の防塵機能付きタップの次実施の形態の要部を断面とした分解説明図である。
【符号の説明】
１　　　下方ボディ
１ａ　　底面
１ｂ　　下方ボディ外周壁
１ｃ　　刃受カバー用リブ
２　　　上方ボディ
２ａ　　刃受カバー用穴
２ｂ　　上面
２ｃ　　上方ボディ外周壁
３　　　刃受カバー
３ａ　　天板部
３ｂ　　栓刃挿通用孔
３ｃ　　刃受カバー外周壁
４　　　バネシャッター
４ａ　　凹陥部
５　　　保持手段
５ａ　　保持手段突起
５ｂ　　位置決め用突起
５ｃ　　保持用部材
５ｄ　　保持用部材下穴
５ｅ　　保持用部材上穴
Ａ　　　栓刃
Ｂ　　　刃受
【図１】
2004146349.tif 000003
【図２】
2004146349.tif 000004
【図３】
2004146349.tif 000005
【図４】
2004146349.tif 000006
【図５】
2004146349.tif 000007